(57)【要約】【課題】お年寄り、身障者等に対するバリアフリー（優しさ）の観点から、操作性の向上を図ること。【解決手段】押圧式回動操作片が支持棒を介して軸着されかつ引戸の端部に装着される内側座及び端部座と、閉戸時に端部座に対面する相手側の壁面に設けられる凹所受けと、内側座の内部或いは裏側から端部座の内部或いは裏側に亘って横設され、かつ押圧式回動操作片２１の押圧部によって押されると回動する連動軸を備えたロック機構とから成り、閉戸時、前記支持棒を基準とする押圧式回動操作片の一端部を押圧すると、連動軸が引戸の端部に内設した案内固定筒の周方向に所定量回動し、これにより端部座側に設けたロック部材が前記凹所受けに対して回動突出する引戸錠装置。【選択図】図９
2009167607.tif 000002
【特許請求の範囲】
【請求項１】
押圧式回動操作片が支持棒を介して軸着されかつ引戸の端部に装着される内側座及び端部座と、閉戸時に端部座に対面する相手側の壁面に設けられる凹所受けと、前記内側座の内部或いは裏側から前記端部座の内部或いは裏側に亘って横設され、かつ前記押圧式回動操作片２１の押圧部によって押されると回動する連動軸を備えたロック機構とから成り、閉戸時、前記支持棒を基準とする押圧式回動操作片の一端部を押圧すると、前記連動軸が引戸の端部に内設した案内固定筒の周方向に所定量回動し、これにより端部座側に設けたロック部材が前記凹所受けに対して回動突出することを特徴とする引戸錠装置。
【請求項２】
請求項１に於いて、内側座は引戸の端部寄りの部位に装着され、一方、端部座は内側座とは別体に成形されていると共に、内側座に対して所定間隔を有して戸先あるいは戸尻に装着されることを特徴とする引戸錠装置。
【請求項３】
請求項１に於いて、連動軸は、案内固定筒に貫通状態に挿通され、その内側座側に位置する後端部には、押圧式回動操作片の裏側に形成された第１押圧部と第２押圧部に選択的に押圧される受け片或いは受け部を有し、一方、端部座側に位置する先端部には、ロック部材を作動させる押圧片或いは押圧部を有することを特徴とする引戸錠装置。
【請求項４】
請求項１に於いて、ロック部材は、連動軸の先端部に設けられた押圧片或いは押圧部に背面の一端部と他端部が選択的に押圧される長板体であり、かつ端部座の収納部の室内側に軸支されていることを特徴とする引戸錠装置。
【請求項５】
請求項１に於いて、押圧式回動操作片は、内側座の引手部分に連設する一端部の収納凹所内に設けられていることを特徴とする引戸錠装置。
【請求項６】
請求項１に於いて、端部座の戸先あるいは戸尻側の側面壁には、引戸の完全開放時、壁面の外壁面側に略重なるように位置している引戸を閉鎖方向へ引き出すための引手部分が形成されていることを特徴とする引戸錠装置。
【発明の詳細な説明】
【技術分野】
【０００１】
本発明は、引戸錠装置に関する。
【背景技術】
【０００２】
特許文献１には、室内に既設の扉の開口部の出入り方向外側に、壁面に沿って後付けされる引戸に使用する引戸錠装置の一例が開示されている。この特許文献１に記載の引戸錠装置は、トイレ、部屋等の室内戸枠を構成する縦枠の戸先対向面（縦枠の外壁面）に取り付けられた凹所受け（引戸錠受け）と、壁の外壁面に沿って前記開口部（室内出入口）を開閉する引戸の戸先に取れ付けられた引戸錠から成る。
【０００３】
すなわち、特許文献１の引戸錠装置は、図２２及び図２３で示すように、室内に既設の扉開口部Ｓの出入り方向Ｙ・Ｚ外側に壁面に沿って後付けされるアウトセット引戸Ｄに使用し、その引戸Ｄを閉止したとき施錠して閉止位置でロックする引戸錠装置Ａにおいて、引戸Ｄの木口面３５寄りに錠ケース本体１２を埋設して取り付ける引戸錠１０と、引戸Ｄが閉止位置にあるとき、該引戸錠１０と対向する扉開口部Ｓの開口縁又は戸体側に錠受入れ凹部１１ｂを形成してなり、引戸錠１０は、サムターン軸１３ｂを中心として施錠位置と解錠位置とに往復回動可能に錠ケース本体１２に組み付けるサムターン１３と、回転中心にねじ穴１５ｃを螺設し、そのねじ穴１５ｃの中心軸線を前記サムターン軸１３ｂと平行な向きにして錠ケース本体１２内で回転可能に保持すると共に、前記サムターン１３とギヤ列を含む回転伝達手段を介して回転伝達可能に連結してなる回転体１５と、外周に該回転体１５のねじ穴１５ｃと螺合するねじ部１６ｃを設け、錠ケース本体１２で先端部１６ｂを出没可能に支持するロック棒１６と、そのロック棒１６に掛け止めて該ロック棒の軸回転を常時規制する回転ストッパ１７を備え、サムターン１３の摘みを施錠位置又は解錠位置に回動して前記回転体１５を回転させると、回転規制状態の前記ロック棒１６が前記回転体１５の回転力に応じて引戸開閉方向Ｘと直交する向きに出没し、錠受入れ凹部１１ｂに対して係脱する（符号は特許文献１のもの）。
【０００４】
上記の引戸錠装置は、室内をリフォームする場合に於いて、お年寄り、身障者等に対するバリアフリー（優しさ）の観点から、扉開口部に存在していた既設の開き戸を取り外し、そのまま開口部の出入り方向外側に壁面に沿って引戸錠を備えたアウトセット引戸を後付けすることができるという利点がある。
【０００５】
しかしながら、この引戸錠装置は、例えば引戸Ｄを施錠する場合には、引戸Ｄの内側からサムターン摘みを摘んで施錠方向に回動する必要があるので、指の悪い人にとっては、その操作性に改良すべき問題があった。
【０００６】
またサムターン摘みの操作力をロック棒１６に伝達する回転伝達手段は、駆動歯車、伝動歯車、減速歯車等のギヤ列なので、引手やサムターン取付け座の他に、ギヤ列を組み付けるための錠箱が必要となるという難点があった。なお、特許文献１には、引戸を完全に開いた場合に於いて、壁面の内壁面側（例えばトイレの中）から、壁面の外壁面側に略重なるように位置している引戸の戸先を閉鎖方向へ簡単に引き出す構成については、記載や示唆がなされていない。
【特許文献１】特開２００５−１６３２９４号公報
【発明の開示】
【発明が解決しようとする課題】
【０００７】
本発明の所期の目的は、お年寄り、身障者等に対するバリアフリー（優しさ）の観点から、操作性の向上を図ること。第２の目的は、内側座にプッシュ式或いはシーソー式の操作部材を設け、この操作部材の操作力を戸先の側縁の切欠部分に取り付けた端部座側に設けた回転方式のロック部材に合理的構成（特許文献１のようにギヤ列を採用しないこと。）によって伝達することができることである。第３の目的は、引戸の左右勝手に通用することである。第４の目的は、室内側から、壁面の外壁面側に略重なるように位置している引戸の戸先を閉鎖方向へ簡単に引き出すことができることである。
【課題を解決するための手段】
【０００８】
本発明の引戸錠装置は、押圧式回動操作片が支持棒を介して軸着されかつ引戸の端部に装着される内側座及び端部座と、閉戸時に端部座に対面する相手側の壁面に設けられる凹所受けと、前記内側座の内部或いは裏側から前記端部座の内部或いは裏側に亘って横設され、かつ前記押圧式回動操作片２１の押圧部によって押されると回動する連動軸を備えたロック機構とから成り、閉戸時、前記支持棒を基準とする押圧式回動操作片の一端部を押圧すると、前記連動軸が引戸の端部に内設した案内固定筒の周方向に所定量回動し、これにより端部座側に設けたロック部材が前記凹所受けに対して回動突出することを特徴とする。
【０００９】
ここで、「端部座」とは、引戸の戸先に取付けられる戸先座、又は引戸の戸尻に取付けられる戸尻座をいう。また、ここで、「端部座に対面する相手側の壁面」には、開口部を形成する壁の壁面、戸枠を形成する縦枠の壁面及び引き違い引戸の召し合せ部分がそれぞれ含まれる。
【発明の効果】
【００１０】
（ａ）室内をリフォームする場合に於いて、お年寄り、身障者等に対するバリアフリー（優しさ）の観点から、扉開口部に存在していた既設の開き戸を取り外し、そのまま開口部の出入り方向外側に壁面に沿って引戸錠を備えたアウトセット引戸を後付けすることができる。
（ｂ）押圧式操作部材の操作力を、端部座に設けた回転方式のロック部材に合理的構成（特許文献１のようにギヤ列を採用しないこと。）によって伝達することができる。
（ｃ）内側座と端部座が別体の実施例の場合には、引戸の左右勝手に通用する。
（ｄ）実施例によっては、室内側から、壁面の外壁面側に略重なるように位置している引戸を閉鎖方向へ簡単に引き出すことができるができる。
【発明を実施するための最良の形態】
【００１１】
以下、図１乃至図２１に示す本発明を実施するための最良の形態により説明する。
【００１２】
（１）発明の実施の環境
図１乃至図６は、発明の実施の環境を示す各概略説明図である。図１は引戸が多少開いている状態、図２は図１における平面視の概略横断面説明図である。また、図３は引戸が完全に閉じている状態、図４は図３における平面視の概略横断面説明図である。さらに、図５は引戸が完全に開いている状態、図６は図５における平面視の概略横断面説明図である。本発明の実施の環境も特許文献１と同様に、トイレ、部屋等の室内に既設の扉の開口部の出入り方向外側に、壁面に沿って後付けされるアウトセット引戸に適用している。したがって、ここでの室内側や室外側は、特定の図面を基準とする用語である。
【００１３】
ここでは図２を参照にして、発明の実施の環境を簡単に説明する。１は開口部、２は開口部を形成している室内の壁、２ａは壁２の室内側（図２の下面側）内壁面、２ｂは壁の外壁面、３は、例えば開口部１を形成している戸先側の縦枠、３ａは縦枠の内壁面、３ｂは縦枠の外壁面、４は壁２の外壁面２ｂから縦枠３の外壁面３ｂに沿って設けられた下枠のガイド、５は下枠のガイド４及び図示しない上枠のガイドに案内されながら開口部１を開閉する引戸、５ａは引戸の内面、５ｂは引戸の外面、５ｃは戸先側の端部（端部寄りの部位も含む）、５ｂは戸尻側の端部、６は戸先側の端部寄りの部位に取付けられた内側座、一方、７は戸先側の端部寄りの部位に取付けられた外側座、８は前記内側座６に所定間隔を有して戸先（本実施例では戸先）に取り付けられた端部座、９は縦枠３の外壁面３ｂに取付けられた凹所受け（引戸錠装置のロック部材受け）、そして、矢印Ａは引戸を閉じる方向、矢印Ｂは引戸を開く方向、矢印Ｃは入口方向、矢印Ｄは出口方向である。
【００１４】
なお、前記内側座６、外側座７、端部座８及び凹所受け９は、不番の切欠部分を介してそれぞれ戸先５ｃの端部や縦枠３の外壁面３ｂに固定的に嵌め込まれている。以下、本発明の特定要件について順次説明するが、一部の用語の符号は割愛する。
【００１５】
（２）内側座、外側座、端部座等の位置関係
本実施例の内側座、外側座及び端部座は、左右勝手に対応することができる。図７は、図１に示した主要部を室内側から見た概略説明図である。この図７では、内側座６の引手部分１１に指を宛がい、引戸５を矢印Ａ方向へ閉めている状態を示している。補助的な引手機能を有する端部座８と、この端部座の近傍に所定間隔を有して設けられ、かつ主たる引手機能を有する内側座６は、それぞれ実線で表している。これに対して、内側座６の反対側に位置する外側座７は室内側からは見えない。また、縦枠３の外壁面に設けた凹所受け９は、完全閉鎖時に於いて、引戸５の端部座８と対向するので、仮想線で表している。
【００１６】
図７で示す引戸５の閉鎖中（又は開放中や完全開放中）の場合には、図８で示すように、端部座８に組み込んだロック機構４１のロック部材は解錠状態に保持されている。このロック機構４１の解錠状態（図７の状態）は、図３及び図４で示すように、引戸５の戸先側の端部５ｃが縦枠３と重なるように引戸５を完全に閉鎖する位置まで閉じた場合（図９の状態）の場合も同様である。
【００１７】
（３）内側座と外側座の構成
図１０及び図１１は、内側座６と外側座７の両方をそれぞれ対比した状態で示している。図１０では図面の右側が内側座６、一方、図面の左側が外側座７である。図１１では手前側が内側座６、一方、向こう側が外側座７である。本実施例では内側座６の引手部分１１に連設する一端部（図面では下端部)の収容凹所１９に横方向の支持軸１８を介して押圧式回動操作片２１が軸支されている。
【００１８】
ここでは、図１０乃至図１３を参照にして、一端部に押圧式回動操作片２１を含む内側座６の構成を説明する。なお、本実施例の外側座７にも新規な工夫が色々と施されているが、外側座７の構成は、本発明の特定（限定）要件ではない。
【００１９】
図１０乃至図１３に於いて、長板状の内側座６は、引戸５の端部寄りの部位に形成された縦方向の切欠に固定的に嵌め込まれる。したがって、内側座６の外周部分は不番のフランジと成る。
【００２０】
まず、符号１１は上端部から押圧式回動操作片２１が軸着された下端部（一端部）付近まで形成された縦方向の引手部分で、この引手部分１１の厚さ（深さ）、凹所幅、長さ、引手形状等は任意事項であるが、本実施例では、縦方向に凹所状に形成されている。内側座６の上端部乃至下端部は面一状或いは多少段差状に形成しても良い。本実施例では、押圧式回動操作片２１を下端部に軸着した場合に於いて、図１０で示すように、引手部分１１の表面１１ａと押圧式回動操作片２１のそれとが略同一の垂直面上に位置するように、下端部の外壁面に押圧式回動操作片用の収納凹所１９を形成している。この収納凹所１９に連通する合計２個の案内孔１２、１３は、収納凹所１９の奥の内壁面中央部に縦列にそれぞれ矩形状に形成されている。
【００２１】
図１２は、内側座６の下端部の裏面を示すが、該図１２で示すように、上方に位置する上側案内孔１２は、下側案内孔１３よりも小さく形成されている。ところで、意匠上の外観を考慮すると、引手部分１１の表面１１ａと押圧式回動操作片２１のそれとは、略同一の垂直面上に位置するように、収納凹所１９の深さや押圧式回動操作片２１の形態を考慮すべきである。しかしながら、収納凹所１９や押圧式回動操作片２１の形態は、本発明の特定要件ではない。要は、内側座６の一端部に設けられた支持棒１８を基準として押圧式回動操作片２１の表面の一端部２１ａ又は他端部２１ｂを押圧すると、該押圧式回動操作片２１が支持棒１８を支点にして所定量回動すれば良い。
【００２２】
次に、符号１４は、内側座６の下端部の裏面に所要間隔を有して突出形成された合計４本の筒状取付け柱（連結部分）で、図１２で示すように、上方に位置する左右２本の筒状取付け柱１４は上側案内孔１２の左右に、また、下方に位置する左右２本の筒状取付け柱１４は下側案内孔１３の左右にそれぞれ対向状態に設けられている。また、符号１５は内側座６の上端部の裏面に突出形成された合計２本の筒状取付け柱（連結部分）で、これらの筒状取付け柱１５、１４は共に螺合筒であり、内側座６を外側座７に連結するために用いられる。なお、符号１６は、内側座６の下端部に形成され、かつ支持棒１８を下側案内孔１３の上部空間に横設軸架するための支持棒用差込み口である。
【００２３】
（４）内側座の押圧式回動操作片
内側座の押圧式回動操作片も左右勝手に対応することができる。図１３は、内側座６の下端部の収納凹所１９内に支持棒１８を介して軸着された押圧式回動操作片２１の斜視図である。この押圧式回動操作片２１は、図１０で示すように、引手部分１１の表面１１ａとその表面が略面一状となる垂直操作壁２２と、この垂直操作壁の内壁面上部に外側座方向へと突出形成された第１押圧部２３と、この第１押圧部に対向するように垂直操作壁２２の内壁面下部に外側座方向へと突出形成された第２押圧部２４と、この第２押圧部２４と第１押圧部２３との間において、かつ垂直操作壁２２の内壁面中央部に突出形成された左右一対の軸受け部２５とをそれぞれ有している。この押圧式回動操作片２１は、前記軸受け部２５に形成された不番軸孔及び支持棒１８を介して内側座の収納凹所１９に嵌合状態に軸着されている。
【００２４】
しかして、本実施例では、後述のロック機構４１のロック部材が縦枠３の凹所受け９に対して解錠状態（非係合状態）の場合には、垂直操作壁２２は垂直状態であるのに対して、前記ロック部材を施錠状態にする場合には、例えば垂直操作壁２２の上端部（一端部）２１ａを室外側（外側座側）に押し込むと、垂直操作壁２２の下端部（他端部）２１ｂは横の支持棒１８を支点にして室内外側に食み出すように所定量回動する。
【００２５】
（５）外側座
前述したように、外側座７の構成は、本発明の特定（限定）要件ではないので、ここでは詳細な説明を割愛する。図１０及び図１１で示すように、外側座７も内側座６と同様の大きさや形態に形成され、引戸５の外面５ｂに形成された縦方向の切欠部分に内側座６と対応するように嵌め込まれている。
【００２６】
しかして、符号２７は外周にフランジを有する縦長の引手部分、２８は引手部分に連設する下端部に形成され、かつ内壁中央部に不番の取付け孔を有する取付け凹所、２９は取付け凹所の内壁中央部に縦方向に形成された開口、３０は取付け凹所内に上下動自在に組み込まれた押圧式回動操作片２１用のスライダーである。
【００２７】
ところで、前記スライダー３０は、室内側（図１０では右側）に不番係合爪を有し、一方、室外側に操作用小突起３０ａ等を有する。そして、前記操作用小突起３０ａを上下方向に操作すると、押圧式回動操作片２１は、前記不番係合爪を介して解錠位置へと戻る。また、ライダー３０の室外側の表面（図１０では左側）には、錠前の施錠状態又は解錠状態を示す識別標識が設けられている。さらに、前記取付け凹所３０には図示しない蓋体が固定的に嵌め込まれる。
【００２８】
（６）ロック機構
ロック機構も左右勝手に対応することができる。図７、図１４乃至図１９を参照にしてロック機構４１の構成を説明する。本実施例のロック機構４１は、内側座６の内部或いは裏側から端部座８の内部或いは裏側に亘って横設され、かつ内側座６に横方向の支持棒１８を介して軸着した押圧式回動操作片２１の押圧部によって押されると回動する連動軸４３を備えている。そして、閉戸時に前記支持棒１８を基準とする押圧式回動操作片の一端部（例えば上端部）を押圧すると、前記連動軸４３が該連動軸を支持する案内固定筒４２の周方向に所定量回動して、端部座８側に設けた（例えば端部座８に軸支した）プレート状のロック部材が、戸枠３の外壁面３ｂに設けた凹所受け９に対して回動突出する。
【００２９】
図１４は、主な箇所（連動軸の先端部を含むロック部材の押圧片の取付け箇所、連動軸に外嵌合する案内固定筒）を断面で示すと共に、連動軸４３の後端部に一体的に設けられた受け片４４を仮想線で示した説明図である。また、図１８はロック機構４１を構成する部材の分解斜視図である。ここで、連動軸４３の先端部とは、引戸に内設した案内固定筒４２の一端部から突出し、かつ端部座８の内部或いは裏側に位置付けられる部分、一方、連動軸４３の後端部とは案内固定筒４２の他端部から突出し、かつ内側座６の内部或いは裏側に位置付けられる部分を意味する。
【００３０】
さて、例えば図１４、図１８等で示すように、本実施例のロック機構４１は、先端部に端部座８に対する耳状取付け部４２ａを有するパイプ状の案内固定筒４２と、この案内固定筒４２に貫通状態に嵌挿された横杆状の連動軸４３と、この連動軸の後端部に固定的に連結された受け片４４と、一方、連動軸４３の先端部に固定的に連結された押圧片４５と、この押圧片４５に押圧されるように端部座８に軸支されたロック部材４６とから構成され、前記連動軸４３に外嵌合するパイプ状の案内固定筒４２は、前記連動軸４３の後端部の受け片４４が内側座６の押圧式回動操作片２１の対面するように内側座６の一端部の室外側（本実施例では、内側座６の下端部の裏側）に位置付けられると共に、連動軸４３の先端部の押圧片４５が端部座８に軸支されたロック部材４６を縦枠３の凹所受けに対して回動突出又は回動後退させることができるように端部座の内部或いは裏側に位置付けられる。
【００３１】
（７）ロック機構４１の各部材
図１５で示すように、本実施例の連動軸４３は長杆状に形成され、パイプ状の案内固定筒４２に貫通状態に挿通されている。この図１５を基準にすると、内側座側に位置する後端部（図面上、右側の突出端部）には、押圧式回動操作片の裏側に突出形成された第１押圧部２３と第２押圧部２４に選択的に押圧される受け片或いは受け部４４を有する。一方、端部座側に位置する先端部（図面上、左側の突出端部）には、ロック部材４６を作動させる押圧片或いは押圧部４５を有する。
【００３２】
付言すると、前記受け片或いは受け部４４は、例えば端面Ｉ字形状、コ字形状等に形成され、かつ連動軸４３の後端部に成形された切欠部４３ａ及び固着具３６を介して、該後端部に直交状態（例えば十字型）に固定される。そして、本実施例では、前記固着具３６を介して連動軸４３の後端部に取り外し可能に固着される受け片４４が採用され、その中央部には前記固着具３６用の貫通小孔３７が形成されていると共に、中央部から上方に延びる第１肉厚部分４４ａ並びに中央部から下方に延びる第２肉厚部分４４ｂの各室内側端部の外面は、それぞれ半円弧状に形成されている。
【００３３】
ところで、スライダー３０用駆動片については本発明の限定的要件ではないので、特に図示しないが、前記第１肉厚部分４４ａ及び第２肉厚部分４４ｂの各室外側端部には、外側座７の一端部の開口２９に嵌入するアームを有するスライダー３０用駆動片を固定するための複数個の取付け部３８が形成されている。
【００３４】
また、前記押圧片或いは押圧部４５は、左右勝手に対応することができるように端面く字形状に形成され、中央部に形成された不番取付け孔及び固着具３９を介して、連動軸４３の先端部に交差状態に固定される（図１４、図１５、図１７、図１８等を参照）。
【００３５】
ところで、押圧片或いは押圧部４５の中央部から斜め方向に外拡状態に延びる二本の指状押圧端部４５ａは、固着具３９を基準として上下対称であるが、これは引戸５に対する左右勝手を考慮したものであり、発明の目的の一つとして左右勝手を考慮しないのであれば、指状押圧端部４５ａは一本であっても良い。
【００３６】
前記ロック部材４６は、連動軸４３の押圧片或いは押圧部４５に背面の一端部と他端部が選択的に押圧される長板体であり、かつ後述する端部座８の収納部の室内側に横軸４７を介して軸支されている。
【００３７】
しかして、本実施例のロック部材４６は、強靭性、作動の良好性等を考慮して、その中央部をチャンネル形状（端面コ字形状）に折り曲げ形成されたロックプレート４６ａと、このロックプレート４６ａの中央部の間隙内にその垂直板部が嵌め込み式で固定された上下端部が鉤状の受けプレート４６ｂとから成る。
【００３８】
なお、ロックプレート４６ａ及び受けプレート４６ｂの形状は任意事項であるが、例えばロックプレート４６ａの対向する一側壁には、クリック機構用の係合小穴、係合溝等の適宜に形成され、また、対向する一他側壁は、押圧片或いは押圧部４５の取付けや取り外しの容易性を考慮して適宜に切欠４８している。
【００３９】
（８）端部座
端部座８は、図２で示すように、引戸５の戸先に形成した切欠部分に固定的に嵌め込まれる。したがって、端部座８は、その形態如何に拘らず、室内側の正面壁８ａと、この正面壁８ａと直交する戸先側の側面壁８ｂの縁部は、それぞれフランジと成る。図２０は端部座８を室内側から見た斜視図であり、また、図２１は端部座８の正面視からの説明図である。
【００４０】
しかして、前記正面壁８ａの中央部（中央部寄りの部位も含む）には、上端部寄りの部位から下端部寄りの部位まで縦方向の開口窓５１が形成されている。この開口窓５１からはロック部材４６を構成するロックプレート４６ａの中央部の外面が見える。
【００４１】
付言すると、施錠時、押圧式回動操作片２１の揺動回転に連動してロック機構４１の連動軸４３が施錠方向へ回動すると、ロック部材４６が横軸４７を支点にその上端部又は下端部のいずれかが、凹所受け９側に回動突出する。
【００４２】
また、前記戸先側の側面壁８ｂには、引戸５の完全開放時、壁面２の外壁面２ｂ側に略重なるように位置している引戸５の戸先５ｃを閉鎖方向へ引き出すための引手部分５２が形成されている。なお、戸先側の側面壁８ｂの上下の端部には、合計４個の取付け孔５３が形成されている。
【実施例】
【００４３】
発明の実施の形態で示した実施例に於いて、引戸の戸先の端部に装着される内側座及び端部座は、別体に成形されているが、発明の所期の目的との関係では、内側座と端部座を一体に成形しても良い。
【００４４】
また、本実施例では、開口部の壁に対し「１枚」の引戸を設置する場合について説明したが、もちろん、開口部の幅が広い場合には、「２枚」の引戸（引き違い引戸）を開口部の壁に対して設置することができる。例えば引き違い引戸の場合には、閉戸時に端部座に対面する相手側の壁面に設けられる凹所受けは、引戸の召し合せ部分に取付けられる。
【００４５】
また、ロック機構４１を構成する連動軸４３の先端部には、押圧片４５を、固着具３９を介して取り外し可能に固定しているが、連動軸４３の先端部に予め押圧部４５を突出形成しても良い。
【００４６】
さらに、実施例では、端部座側に設けたロック部材４６は、連動軸４３の押圧片４５とは別体であり、押圧片４５を介して回動突出することができるように端部座の収納部の室内側に軸支されているが、これはロック部材４６の突出量を大きくするためであるから、これを目的としない場合には、連動軸４３の押圧片４５を直接ロック部材（ロックプレート）に代えることができる。
【産業上の利用可能性】
【００４７】
本発明は、主に錠前や建具の業界で利用される。
【図面の簡単な説明】
【００４８】
図１乃至図２１は本発明の最良の実施例を示す各説明図。図２２及び図２３は従来の一例を示す各説明図。
【図１】引戸が多少開いている状態の説明図。
【図２】図１における平面視の概略横断面説明図。
【図３】引戸が完全に閉じている状態の説明図。
【図４】図３における平面視の概略横断面説明図。
【図５】引戸が完全に開いている状態の説明図。
【図６】図５における平面視の概略横断面説明図。
【図７】図１の主要部を示す概略説明図。
【図８】ロック機構の解錠状態を示す概略説明図。
【図９】閉戸時における解錠状態と施錠状態を示す概略説明図。
【図１０】内側座と外側座の一部概略断面説明図。
【図１１】内側座と外側座の斜視図。
【図１２】内側座の下端部側の背面からの説明図。
【図１３】押圧式回動操作片の背面からの斜視図。
【図１４】連動軸を含むロック機構の概略説明図（一部切欠、一部断面、仮想線で受け片を示す）。
【図１５】ロック機構の左側面図（ロック部材と受け片を省略）。
【図１６】ロック機構の右側面図（ロック部材と受け片を省略）。
【図１７】ロック機構の斜視図（受け片を分離した状態。ロック部材を省略）。
【図１８】ロック機構を構成する部材の分解斜視図。
【図１９】ロック機構を構成する受け片の概略縦断面説明図。
【図２０】端部座を室内側から見た斜視図。
【図２１】端部座の正面視からの説明図。
【図２２】従来の一例を示す概略断面説明図。
【図２３】従来の一例を示す引戸構造体の斜視図。
【符号の説明】
【００４９】
1…開口部、２…室内の壁、２ａ…壁の内壁面、２ｂ…壁の外壁面、３…戸先側の縦枠、３ａ…縦枠の内壁面、３ｂ…縦枠の外壁面、４…下枠のガイド、５…引戸、５ａ…引戸の内面、５ｂ…引戸の外面、５ｃ…戸先側の端部、５ｂ…戸尻側の端部、６…内側座、７…外側座、８…端部座、８ａ…室内側の正面壁、８ｂ…戸先側の側面壁、９…凹所受け、Ａ引戸を閉じる方向、Ｂ…引戸を開く方向、Ｃ…入口方向、Ｄ…出口方向、１１…引手部分、１１ａ…引手部分の表面、１２、１３…案内孔、１４、１５…筒状取付け柱、１６…支持棒用差込み口、１８…支持軸、１９…収容凹所、２１…押圧式回動操作片、２１ａ…上端部（一端部）、２１ｂ…下端部（他端部）、２２…垂直操作壁、２３…第１押圧部、２４…第２押圧部、２５…軸受け部、２７…引手部分、２８…取付け凹所、２９…開口、３０…スライダー、３０ａ…小突起、３６…固着具、３７…貫通小孔、３８…取付け部、３９…固着具、４１…ロック機構、４２…案内固定筒、４２ａ…耳状取付け部、４３…連動軸、４３ａ…切欠部、４４…受け片、４４ａ…第１肉厚部分、４４ｂ…第２肉厚部分、４５…押圧片、４５ａ…指状押圧端部、４６…ロック部材、４６ａ…ロックプレート、４６ｂ…受けプレート、４７…横軸、４８…切欠、５１…開口窓、５２…引手部分。
【図１】
2009167607.tif 000003
【図２】
2009167607.tif 000004
【図３】
2009167607.tif 000005
【図４】
2009167607.tif 000006
【図５】
2009167607.tif 000007
【図６】
2009167607.tif 000008
【図７】
2009167607.tif 000009
【図８】
2009167607.tif 000010
【図９】
2009167607.tif 000011
【図１０】
2009167607.tif 000012
【図１１】
2009167607.tif 000013
【図１２】
2009167607.tif 000014
【図１３】
2009167607.tif 000015
【図１４】
2009167607.tif 000016
【図１５】
2009167607.tif 000017
【図１６】
2009167607.tif 000018
【図１７】
2009167607.tif 000019
【図１８】
2009167607.tif 000020
【図１９】
2009167607.tif 000021
【図２０】
2009167607.tif 000022
【図２１】
2009167607.tif 000023
【図２２】
2009167607.tif 000024
【図２３】
2009167607.tif 000025